(57)【特許請求の範囲】
【請求項１】
交換式内蔵レンズを具えた腕時計構造において、時計本体、内蔵レンズと固定座を包含し、該時計本体の側面に、逆錐形開口の溝体構造が設けられ、且つ該溝体構造の底部に、ＣＭＯＳイメージセンサが設置され、該ＣＭＯＳイメージセンサは線路で該時計本体内部の回路基板に接続され、
該内蔵レンズは、該時計本体側面の該溝体構造に取り付けられ、該内蔵レンズには大範囲撮像の広角撮影用の光学レンズモジュール、遠距離ズームの望遠機能用の光学レンズモジュール、近距離ズームのミクロ撮影機能用の光学レンズモジュール、光源フィルタレンズ機能用の光学レンズモジュールのいずれかが設置され、
該固定座には調整板が枢設され、該調整板に回転盤が凸設され、該時計本体は該固定座の該調整板の該回転盤に取り付けられることを特徴とする、交換式内蔵レンズを具えた腕時計構造。
【請求項２】
請求項１記載の交換式内蔵レンズを具えた腕時計構造において、該固定座の底部に、さらに固定片、腕時計バンド、ブレスレット、或いは束縛用バンドを設置できることを特徴とする、交換式内蔵レンズを具えた腕時計構造。
【発明の詳細な説明】
【技術分野】
【０００１】
本発明は一種の交換式内蔵レンズを具えた腕時計構造に係り、特に一種の、交換可能な内蔵レンズを具えた腕時計構造に関する。
【背景技術】
【０００２】
現在、デジタル式の腕時計に配置されたＣＭＯＳイメージセンサは、省エネで体積が小さく、周辺回路と整合させやすい長所を有しているが、却ってフォーカス時に倍率を光学拡大或いは光学縮小できないという制限があり、甚だしくは光学システムの制限のために、より大きな範囲の視野角撮影或いは遠距離ズーム撮影及び近距離ズーム撮影が行なえない等の欠点を有する。このため、使用者がもし高い倍率の望遠撮影、近距離ミクロ撮影、光源フィルタレンズ撮影等の特殊機能の応用を必要とする場合は、腕時計に備えつけられたＣＭＯＳイメージセンサはそれに対応し必要な撮影機能を提供することができず、使用者は、別に体積が比較的大きく且つ重いハイレベルのカメラを携行しなければならず、携帯或いは使用上、とても不便である。
【発明の概要】
【発明が解決しようとする課題】
【０００３】
本発明は腕時計のＣＭＯＳイメージセンサの設置位置を変更することにより、有限な時計本体内部空間中の、ＣＭＯＳイメージセンサの前方に交換可能な内蔵レンズを配置できるようにし、それにより、大幅に腕時計の外部画像キャプチャのビデオ或いは写真撮影の機能をアップし、さらに使用者の異なる要求により大範囲撮像の広角機能を有する光学レンズモジュール、遠距離ズームの望遠機能を有する光学レンズモジュール、近距離ズームのミクロ機能を有する光学レンズモジュール或いは光源フィルタのフィルタレンズ機能を有する光学レンズモジュールを具えた内蔵レンズに交換できるようにすることで、使用者の特殊な応用の使用目的を達成できるようにする。
【課題を解決するための手段】
【０００４】
本発明は一種の交換式内蔵レンズを具えた腕時計構造を提供し、それは、時計本体と内蔵レンズを具え、該時計本体の側面に、逆錐形開口の溝体構造が設置され、且つ該溝体構造の底部に、ＣＭＯＳイメージセンサが設置され、該内蔵レンズは、該時計本体側面の該溝体構造に取り付けられる。
【発明の効果】
【０００５】
本発明の交換式内蔵レンズを具えた腕時計構造は、時計本体と内蔵レンズを包含し、該時計本体の側面に、逆錐形開口の溝体構造が設置され、且つ該溝体構造の底部に、ＣＭＯＳイメージセンサが設置され、該内蔵レンズは、該時計本体側面の該溝体構造に取り付けられる。本発明は、有限な時計本体内部空間中の、ＣＭＯＳイメージセンサの前方に交換可能な内蔵レンズを配置することにより、大幅に腕時計の外部画像を撮像する動画撮影或いは写真撮影の機能をアップし、さらに、使用者の要求により広角撮影、遠距離ズーム撮影、近距離ミクロ撮影、光源フィルタレンズ機能を具えた光学レンズモジュールを有する内蔵レンズに交換することで、使用者の異なる特殊な応用の使用目的を達成する。
【図面の簡単な説明】
【０００６】
【図１】本発明の部品分解図（一）である。
【図２】本発明の組み合わせ図（一）である。
【図３】本発明の使用状態図（一）である。
【図４】本発明の使用状態図（二）である。
【図５】本発明の実施例図（一）である。
【図６】本発明の実施例図（二）である。
【図７】本発明の部品分解図（二）である。
【図８】本発明の組み合わせ図（二）である。
【図９】本発明の使用状態図（三）である。
【図１０】本発明の実施例図（三）である。
【図１１】本発明の実施例図（四）である。
【図１２】本発明の実施例図（五）である。
【図１３】本発明の断面表示図（一）である。
【図１４】本発明の断面表示図（二）である。
【発明を実施するための形態】
【０００７】
以下に本発明の技術内容、構造特徴、達成する目的及び作用効果について、以下に例を挙げ並びに図面を組み合わせて詳細に説明する。
【０００８】
実施例一：
図１から図６及び図１３から図１４を参照されたい。本発明の交換式内蔵レンズ３を具えた腕時計構造１は、時計本体２、内蔵レンズ３及び固定座４を包含する。該固定座４には調整板４１が枢設され、且つ該調整板４１には回転盤４２が凸設されている。該時計本体２は、該固定座４の該調整板４１の該回転盤４２に取り付けられる。該固定座４の底部には、二つの固定片４３が設置されている。そのうち、該固定座４の底部には、また、時計バンド、ブレスレット或いは束縛用バンドを選択して設置できる。
【０００９】
該時計本体２の側面には、逆錐形開口の溝体構造２１が設置され、且つ該溝体構造２１の底部には、ＣＭＯＳイメージセンサ２２が設置される。該ＣＭＯＳイメージセンサ２２は、線路で該時計本体２内部の回路基板に接続される。該内蔵レンズ３は、該時計本体２側面の該溝体構造２１に嵌め込まれる。そのうち、該内蔵レンズ３は、大範囲撮像の広角機能を有する光学レンズモジュール、遠距離ズームの望遠機能の光学レンズモジュール、近距離ズームのミクロ機能の光学レンズモジュール或いは光学フィルタのフィルタレンズ機能の光学レンズモジュールが設置される。
【００１０】
実際の使用上は、該腕時計構造１は、該固定座４の底部両側の該固定片４３により手腕に設置可能で、すなわち、使用者が歩く、或いは二輪車（自転車或いはオートバイ）に乗るとき、同時に外部画像のキャプチャ、記録を行なうか、或いはドライブレコーダーとして使用できる。且つ、該固定座４の該調整板４１は、無段式の仰角調整設定を行なえる。該調整板４１の該回転盤４２は、０から３６０度の回転角度の設定を有する。これにより、該固定座４の該調整板４１の該回転盤４２上に取り付けられた該時計本体２は、さらに使用者の異なった使用状態に応じて、大範囲、異なる角度の画像撮影或いは記録を行なえる。
【００１１】
実施例二：
図７〜１２を参照されたい。この実施例の交換式内蔵レンズ３を具えた腕時計構造１は、時計本体２、内蔵レンズ３及び固定座５を包含する。該固定座５には、回転盤５１が凸設されている。該時計本体２は、該固定座５の該回転盤５１に取り付けられる。
【００１２】
該時計本体２の側面には、逆錐形開口の溝体構造２１が設置され、且つ該溝体構造２１の底部には、ＣＭＯＳイメージセンサ２２が設置される。該ＣＭＯＳイメージセンサ２２は、線路で該時計本体２内部の回路基板に接続される。該内蔵レンズ３は、該時計本体２側面の該溝体構造２１に嵌め込まれる。そのうち、該内蔵レンズ３は大範囲撮像の広角機能を有する光学レンズモジュール、遠距離ズームの望遠機能の光学レンズモジュール、近距離ズームのミクロ機能の光学レンズモジュール或いは光学フィルタのフィルタレンズ機能の光学レンズモジュールが設置される。
【００１３】
実際の使用上、該腕時計構造１は、直接車両のドライバーシートの前方或いは後方に設置されて、ドライブレコーダーとして使用され得る。或いは、該腕時計構造１の該固定座５の一側に、別に束縛用バンド５２が設置されて、使用車が歩く或いは二輪車（自転車或いはオートバイ）に乗るとき、該束縛用バンド５２により腕時計構造１を帽子のつば或いは手腕に固定して外部画像のキャプチャ或いは記録に使用することができる。且つ該固定座５の該回転盤５１は、０〜３６０度の回転角度の設定を有する。これにより、該固定座５の該回転盤５１上に取り付けられた該時計本体２は、さらに使用者の異なった使用状態に応じて、大範囲、異なる角度の画像撮影或いは記録を行なえる。
【００１４】
現在、デジタル式腕時計に配置されたＣＭＯＳイメージセンサは、省エネ、体積が小さく及び周辺回路と整合させやすい等の長所を有するが、却ってフォーカス時に倍率を光学拡大或いは光学縮小できないという制限があり、甚だしくは光学システムの制限のために、より大きな範囲の視野角撮影或いは遠距離ズーム撮影及び近距離ズーム撮影が行なえない等の欠点を有する。このため、使用者がもし高い倍率の望遠撮影、近距離ミクロ撮影、光源フィルタレンズ撮影等の特殊機能の応用を必要とする場合は、腕時計に備えつけられたＣＭＯＳイメージセンサはそれに対応し必要な撮影機能を提供することができず、使用者は、別に体積が比較的大きく且つ重いハイレベルのカメラを携行しなければならず、携帯或いは使用上、とても不便である。
【００１５】
本発明は腕時計２のＣＭＯＳイメージセンサ２２の設置位置を変更することにより、有限な時計本体２内部空間中の、ＣＭＯＳイメージセンサ２２の前方に光学レンズモジュールを具えた交換可能な内蔵レンズ３を配置できるようにし、それにより、ハイレベルの光学レンズモジュールを具えた該内蔵レンズ３に交換できるようにし、また、該内蔵レンズ３を該時計本体２の該溝体構造２１に内蔵し、並びに使用者の実際の使用の必要により、大範囲撮像の広角機能を有する光学レンズモジュール、遠距離ズームの望遠機能を有する光学レンズモジュール、近距離ズームのミクロ機能を有する光学レンズモジュール或いは光源フィルタのフィルタレンズ機能を有する光学レンズモジュールを具えた内蔵レンズ３に交換でき、これにより使用者の特殊な応用の使用の場合を満足させ、それにより、大幅に腕時計レンズの外部画像に対する動画、写真の撮影の機能を大幅にアップする。
【００１６】
さらに、該内蔵レンズ３の体積は小さく、これにより、使用者が同時に複数組の異なる機能、倍率の該内蔵レンズ３を携行する場合も、相当にコンパクトで便利であり、且つ収納が容易である。該内蔵レンズ３は該時計本体２の該溝体構造２１に取り付けられ、該内蔵レンズ３の上面は、該時計本体２の本体構造より突出せず、これにより、使用者はもし該腕時計構造１をコート或いはズボンの両側のポケットに入れても、該腕時計構造１から突出するレンズによる異物感を感じることはない。
【００１７】
上述の実施例は僅かに本発明の原理及びその作用効果を説明するものであり、本発明を制限するものではない。これにより、この発明の属する技術の分野における通常の知識を有する者が上述の実施例に対してなし得る修正或いは変化は、すなわち、本発明の精神より逸脱しない。本発明はすでに産業上の利用性、新規性及び進歩性を有し、並びに特許の要件を満たす。
【符号の説明】
【００１８】
１  腕時計構造
２  時計本体
２１  溝体構造
２２  ＣＭＯＳイメージセンサ
３  内蔵レンズ
４  固定座
４１  調整板
４２  回転盤
４３  固定片
５  固定座
５１  回転盤
５２  束縛用バンド
【図１】
0005872529.tif 000002
【図２】
0005872529.tif 000003
【図３】
0005872529.tif 000004
【図４】
0005872529.tif 000005
【図５】
0005872529.tif 000006
【図６】
0005872529.tif 000007
【図７】
0005872529.tif 000008
【図８】
0005872529.tif 000009
【図９】
0005872529.tif 000010
【図１０】
0005872529.tif 000011
【図１１】
0005872529.tif 000012
【図１２】
0005872529.tif 000013
【図１３】
0005872529.tif 000014
【図１４】
0005872529.tif 000015